(57)【要約】      （修正有）【課題】アコースティックピアノの鍵タッチ感に近似した鍵タッチ感が得られる鍵盤装置を提供する。【解決手段】鍵盤シャーシ１上に上下方向に回転可能に取り付けられた鍵の押鍵動作に伴って上下方向に移動する操作突起部２８と、鍵盤シャーシ１に鍵の前後方向に変位可能に設けられた本体部３１、操作突起部２８が接触して本体部３１を変位させる第１突起部３２、および鍵の押鍵力が弱いときに操作突起部２８の先端部２８ａが当接して乗り越え、かつ鍵の押鍵力が強いときに操作突起部２８の先端部２８ａが当接せずに通過する第２突起部３３を有する鍵荷重制動部材３０と、を備えている。従って、鍵を弱く押鍵したときに、鍵荷重を重くして急激に軽くするレットオフ感を鍵に付与することができ、また鍵を強く押鍵したときに、鍵にレットオフ感が生じない。これにより、鍵の押鍵強さに応じて鍵にレットオフ感を付与することができる。【選択図】図６
2015090373.tif 000002
【特許請求の範囲】
【請求項１】
鍵盤シャーシ上に上下方向に回転可能に取り付けられた鍵と、
この鍵の押鍵動作に伴って上下方向に移動する操作突起部と、
前記鍵盤シャーシに前記鍵の前後方向に変位可能に設けられた本体部、この本体部に湾曲して設けられ、前記操作突起部が接触して前記本体部を変位させる第１突起部、および前記鍵が相対的に弱く押鍵されたときに前記操作突起部の先端部が当接して乗り越え、かつ前記押鍵時よりも相対的に強く押鍵されたときに前記操作突起部の前記先端部が当接せずに通過する第２突起部を有する鍵荷重制動部材と、
を備えていることを特徴とする鍵盤装置。
【請求項２】
請求項１に記載の鍵盤装置において、前記鍵が押鍵されたときに、前記操作突起部の前記先端部が前記鍵荷重制動部材の前記第１突起部に接触して、前記本体部を前記操作突起部の上下動に追従させて前記鍵の前後方向に変位させ、更に前記操作突起部の前記先端部を前記第２突起部に当接させ、
前記押鍵時よりも強く押鍵されたときは、前記操作突起部の前記先端部が前記本体部を当該本体部の慣性力で前記鍵の前後方向に大きく変位させ、更に前記操作突起部の前記先端部を前記第２突起部に当接させずに通過させることを特徴とする鍵盤装置。
【請求項３】
請求項１または請求項２に記載の鍵盤装置において、前記鍵荷重制動部材は、弾性材料で形成されていることを特徴とする鍵盤装置。
【請求項４】
請求項３に記載の鍵盤装置において、前記鍵荷重制動部材の前記本体部には、前記第１突起部よりも前記鍵盤シャーシ側にくびれ部が設けられていることを特徴とする鍵盤装置。
【請求項５】
請求項１〜請求項４のいずれかに記載の鍵盤装置において、前記鍵の押鍵操作に伴って回転し、前記鍵にアクション荷重を付与するハンマー部材を備えていることを特徴とする鍵盤装置。
【請求項６】
請求項５に記載の鍵盤装置において、前記操作突起部は前記鍵と前記ハンマー部材とのいずれか一方に設けられていることを特徴とする鍵盤装置。
【発明の詳細な説明】
【技術分野】
【０００１】
この発明は、電子ピアノや電子オルガンなどの電子鍵盤楽器に用いられる鍵盤装置に関する。
【背景技術】
【０００２】
例えば、電子鍵盤楽器の鍵盤装置においては、特許文献１に記載されているように、鍵盤シャーシ上に上下方向に回転可能に設けられた鍵を押鍵操作した際に、ハンマー部材を回転させて鍵にアクション荷重を付与すると共に、ハンマー部材に設けられた突起部が、鍵盤シャーシに設けられた弾性部材を弾性変形させて乗り越えることにより、押鍵操作が終了する直前に鍵荷重を重くして急激に軽くするレットオフ感を鍵に付与し、これによりアコースティックピアノの鍵タッチ感に近似した鍵タッチ感が得られるように構成されたものが知られている。
【先行技術文献】
【特許文献】
【０００３】
【特許文献１】特開２００５−２４１８８７号公報
【０００４】
このような鍵盤装置は、鍵盤シャーシに設けられた弾性部材の上面に、その先端部を除いて押え板を設け、この押え板から突出した弾性部材の先端部に、鍵の押鍵操作に伴って回転するハンマー部材の突起部が、押鍵操作の終了する直前に当接して鍵荷重を重くし、ハンマー部材の突起部が弾性部材の先端部を弾性変形させて乗り越えたときに、鍵荷重を更に重くして急激に軽くするレットオフ感を鍵に付与するように構成されている。
【発明の概要】
【発明が解決しようとする課題】
【０００５】
しかしながら、このような鍵盤装置では、鍵を強く押鍵しても、また鍵を弱く押鍵しても、押鍵操作が終了する直前にハンマー部材の突起部が弾性部材の先端部に当接して乗り越えるため、必ず鍵にレットオフ感が付与されてしまうという問題がある。一般に、アコースティックピアノでは、鍵を弱く押鍵した際に、鍵にレットオフ感が付与されるが、鍵を強く押鍵した際には、鍵にレットオフ感が付与されないように構成されている。
【０００６】
この発明が解決しようとする課題は、鍵の押鍵強さに応じて鍵にレットオフ感を付与することができ、これによりアコースティックピアノの鍵タッチ感に近似した鍵タッチ感を得ることができる鍵盤装置を提供することである。
【課題を解決するための手段】
【０００７】
この発明は、鍵盤シャーシ上に上下方向に回転可能に取り付けられた鍵と、この鍵の押鍵動作に伴って上下方向に移動する操作突起部と、前記鍵盤シャーシに前記鍵の前後方向に変位可能に設けられた本体部、この本体部に湾曲して設けられ、前記操作突起部が接触して前記本体部を変位させる第１突起部、および前記鍵が弱く押鍵されたときに前記操作突起部の先端部が当接して乗り越え、かつ前記押鍵時よりも強く押鍵されたときに前記操作突起部の前記先端部が当接せずに通過する第２突起部を有する鍵荷重制動部材と、を備えていることを特徴とする鍵盤装置である。
【発明の効果】
【０００８】
この発明によれば、鍵を弱く押鍵すると、操作突起部の先端部が鍵荷重制動部材の本体部をゆっくり変位させることができ、これにより操作突起部の先端部を鍵荷重制動部材の第２突起部に当接させて乗り越えさせることができるので、鍵荷重を重くして急激に軽くするレットオフ感を鍵に付与することができる。また、鍵を強く押鍵すると、操作突起部の先端部が鍵荷重制動部材の本体部を勢いよく変位させることができ、これにより操作突起部の先端部を第２突起部に当接させずに通過させることができるので、鍵に対するレットオフ感の発生を防ぐことができる。これにより、鍵の押鍵強さに応じて鍵にレットオフ感を付与することができるので、アコースティックピアノの鍵タッチ感に近似した鍵タッチ感を得ることができる。
【図面の簡単な説明】
【０００９】
【図１】この発明を電子鍵盤楽器の鍵盤装置に適用した一実施形態を示した断面図である。
【図２】図１に示された鍵盤装置において、鍵が弱い力で押鍵されて、操作突起部が鍵荷重制動部材の第２突起部に当接した状態を示した断面図である。
【図３】図２に示された鍵盤装置において、鍵が弱い力で更に押鍵されて、操作突起部が鍵荷重制動部材の第２突起部を乗り越える状態を示した断面図である。
【図４】図１に示された鍵盤装置において、鍵が強い力で押鍵されて、操作突起部が鍵荷重制動部材の本体部をその慣性力によって大きく変位させた状態を示した断面図である。
【図５】図１に示された鍵盤装置において、鍵荷重制動部材を示した拡大図である。
【図６】操作突起部によって鍵荷重制動部材が変位する状態を示し、（ａ）は図２の状態における操作突起部による鍵荷重制動部材の変位状態を示した要部の拡大図、（ｂ）は図３の状態における操作突起部による鍵荷重制動部材の変位状態を示した要部の拡大図、（ｃ）は図４の状態における操作突起部による鍵荷重制動部材の変位状態を示した要部の拡大図である。
【図７】図１に示された鍵盤装置における鍵ストロークに対する鍵荷重の特性を示し、（ａ）は鍵を弱い力で押鍵した際の特性図、（ｂ）は鍵を強い力で押鍵した際の特性図である。
【発明を実施するための形態】
【００１０】
以下、図１〜図７を参照して、この発明を電子鍵盤楽器の鍵盤装置に適用した一実施形態について説明する。
この鍵盤装置は、図１に示すように、合成樹脂製の鍵盤シャーシ１と、この鍵盤シャーシ１上に配列されて上下方向にそれぞれ回転可能に取り付けられた複数の鍵２と、これら複数の鍵２の押鍵操作に伴って各鍵２にそれぞれアクション荷重を付与する複数のハンマー部材３と、複数の鍵２の押鍵動作に応じてそれぞれオン信号を出力するスイッチ部４とを備えている。
【００１１】
鍵盤シャーシ１は、楽器ケース（図示せず）内に配置されるものである。この鍵盤シャーシ１の前端部（図１では右端部）には、図１に示すように、前脚部５が底部から上方に突出して形成されている。この前脚部５の上部には、鍵２の横振れを防ぐための鍵ガイド部６が各鍵２にそれぞれ対応して設けられている。
【００１２】
また、この鍵盤シャーシ１における前脚部５の後部側（図１では左側部）には、図１に示すように、ハンマー載置部７が前脚部５よりも少し高い高さで形成されている。このハンマー載置部７の下面には、ハンマー部材３を支持するためのハンマー支持部８が下側に向けて突出して設けられている。このハンマー支持部８には、ハンマー部材３を上下方向に回転可能に支持する支持軸８ａが設けられている。
【００１３】
また、この鍵盤シャーシ１の前後方向（図１では左右方向）におけるほぼ中間部、つまりハンマー鍵載置部７の上部後方には、図１に示すように、基板載置部１０が一段低い高さで形成されている。この基板載置部１０の上方には、スイッチ部４がハンマー載置部７と基板支持部１１との両方に跨った状態で取り付けられている。この場合、基板支持部１１は、基板載置部１０の後部側（図１では左側）の上面に起立して設けられている。
【００１４】
さらに、この鍵盤シャーシ１の後部、つまり基板載置部１０の後部側には、図１に示すように、鍵載置部１２が鍵ガイド部６の上部とほぼ同じ高さで形成されている。この鍵載置部１２の上面には、鍵支持部１３が上方に突出して形成されている。この鍵支持部１３には、鍵２の後端部を上下方向に回転可能に支持する支持軸１３ａが設けられている。
【００１５】
また、この鍵盤シャーシ１における鍵載置部１２の後端部には、図１に示すように、鍵盤シャーシ１の後端部を支持する後脚部１４が鍵盤シャーシ１の上部から底部に向けて垂下されている。この後脚部１４の下端部には、ハンマー部材３の下限位置を規制するためのフェルトなどの下限ストッパ部１５が設けられている。
【００１６】
一方、鍵２は、白鍵と黒鍵とを有している。ただし、この実施形態では、１つの白鍵について説明する。この鍵２は、図１に示すように、その後端部（図１では左端部）が鍵盤シャーシ１の鍵載置部１２上に設けられた鍵支持部１３に支持軸１３ａによって上下方向に回転可能に支持されている。この鍵２の前後方向（図１では左右方向）におけるほぼ中間部には、鍵盤シャーシ１の基板載置部１０上に取り付けられたスイッチ部４を押圧するためのスイッチ押圧部１６が下側に突出して形成されている。
【００１７】
この場合、スイッチ部４は、図１に示すように、スイッチ基板１７上に配置されたゴムシート１８を備え、このゴムシート１８にドーム状の膨出部１８aが鍵２のスイッチ押圧部１６に対応して形成された構成になっている。スイッチ基板１７は、その前端部（図１では右端部）がハンマー載置部７上に配置され、他端部（図１では左端部）が基板載置部１０上に設けられた基板支持部１１上に配置され、この状態で基板載置部１０の上方に位置した状態で取り付けられている。
【００１８】
また、このスイッチ部４は、図１に示すように、ゴムシート１８の膨出部１８aがスイッチ押圧部１６によって押圧された際に、図２〜図４に示すように、膨出部１８aが弾性変形して、その内部の可動接点がスイッチ基板１７の固定接点（いずれも図示せず）に接触してオン信号を出力するように構成されている。
【００１９】
さらに、鍵２のスイッチ押圧部１６の前側（図１では右側）に位置する鍵２の箇所には、図１に示すように、ハンマー押圧部２０が鍵２の下側に向けて突出して形成されている。このハンマー押圧部２０の下部には、ハンマー部材３の後述する鍵当接摺動部２６を摺動可能に保持するハンマー保持部２１が設けられている。
【００２０】
一方、ハンマー部材３は、図１に示すように、ハンマー本体２３と、このハンマー本体２３の後部（図１では左側部）に設けられた錘部２４と、ハンマー本体２３の前部側（図２では右側部）に設けられて、ハンマー本体２３の回転中心となる合成樹脂製の回転取付部２５と、ハンマー本体２３の前側に位置する先端部（図１では右端部）に設けられた鍵当接摺動部２６とを備えている。
【００２１】
このハンマー部材３は、図１に示すように、ハンマー本体２３の鍵当接摺動部２６を鍵盤シャーシ１のハンマー載置部７の前下り部９に設けられた開口部９ａに挿入させた状態で、ハンマー本体２３の回転取付部２５をハンマー載置部７の下面に設けられたハンマー支持部８の支持軸８ａに回転可能に取り付けることにより、ハンマー本体２３がハンマー支持部８の支持軸８ａを中心に上下方向に回転するように構成されている。
【００２２】
また、このハンマー部材３は、図１に示すように、ハンマー本体２３の回転取付部２５がハンマー支持部８の支持軸８ａに回転可能に取り付けられた際に、ハンマー本体２３の前側に位置する先端部（図１では右端部）に設けられた鍵当接摺動部２６が、鍵２のハンマー押圧部２０に形成されたハンマー保持部２１内に、摺動可能に挿入されるように構成されている。
【００２３】
これにより、ハンマー部材３は、図１に示すように、通常の状態で、ハンマー本体２３が錘部２４の重量によってハンマー支持部８の支持軸８ａを中心に反時計回りに回転し、ハンマー本体２３の錘部２４側の後端部（図１では左端部）が下限ストッパ部１５に当接して位置規制されると共に、ハンマー本体２３の鍵当接摺動部２６が鍵２のハンマー押圧部２０を押し上げて鍵２を上限位置に位置規制するように構成されている。
【００２４】
また、このハンマー部材３は、図２〜図４に示すように、鍵２が上方から押鍵されると、鍵２のハンマー押圧部２０によってハンマー本体２３の鍵当接摺動部２６がハンマー本体２３の錘部２４の重量に抗して押し下げられ、これに伴ってハンマー本体２３がハンマー支持部８の支持軸８ａを中心に時計回りに回転し、ハンマー本体２３の錘部２４側の後端部が鍵盤シャーシ１の鍵載置部１２の下面に設けられたフェルトなどの上限ストッパ２７に当接して、ハンマー本体２３の回転が停止するように構成されている。
【００２５】
ところで、このハンマー部材３には、図１〜図４に示すように、鍵２の押鍵動作に伴って上下方向に移動する操作突起部２８が上方に向けて突出して設けられている。この操作突起部２８は、ハンマー部材３の回転取付部２５がハンマー本体２３に沿って後方（図１では左側）に延出された個所に設けられている。これにより、操作突起部２８は、その先端部２８ａが鍵盤シャーシ１の基板載置部１０に対応し、この状態でハンマー部材３の回転に伴って上下方向に移動するように構成されている。
【００２６】
また、鍵盤シャーシ１の基板載置部１０には、図１〜図４に示すように、鍵荷重制動部材３０がハンマー部材３の操作突起部２８の移動軌跡に対応して設けられている。すなわち、この鍵荷重制動部材３０は、鍵盤シャーシ１の基板載置部１０上に起立した状態で設けられている。この場合、鍵盤シャーシ１の基板載置部１０には、ハンマー部材３の操作突起部２８が上下方向に移動可能に挿入するスリット孔２９が上下に貫通して設けられている。
【００２７】
鍵荷重制動部材３０は、図５および図６に示すように、鍵盤シャーシ１の基板載置部１０に鍵２の前後方向（図５では左右方向）に変位可能に設けられた本体部３１と、この本体部３１に緩やかに湾曲して設けられて、操作突起部２８が接触して本体部３１を鍵２の前後方向に変位させる第１突起部３２と、鍵２の押鍵力が弱いときに操作突起部２８の先端部２８ａが当接して乗り越え、かつ鍵２の押鍵力が強いときに操作突起部２８の先端部２８ａが当接せずに通過する第２突起部３３と、を有している。
【００２８】
この鍵荷重制動部材３０は、図５に示すように、本体部３１、第１突起部３２、第２突起部３３が、ゴムやエラストマなどの弾性材料によって一体に形成されている。これにより、本体部３１は、図１〜図４に示すように、鍵２の前後方向（図５では左右方向）に弾力的に変位するように構成されている。この場合、本体部３１には、くびれ部３１ａが第１突起部３２よりも鍵盤シャーシ１側に位置して設けられている。これにより、本体部３１は、くびれ部３１ａによって鍵２の前後方向に弾力的に変位し易い構成になっている。
【００２９】
また、第１突起部３２は、図５および図６に示すように、操作突起部２８の先端部２８ａの移動軌跡側に位置する本体部３１の側面のほぼ中間部に、その側方である鍵２の前側に向けて緩やかに湾曲した状態で突出して設けられている。これにより、第１突起部３２は、操作突起部２８の先端部２８ａが上下方向に滑らかに接触して、本体部３１を鍵２の後方に向けて弾力的に変位させるように構成されている。
【００３０】
すなわち、この第１突起部３２は、図６（ａ）および図６（ｂ）に示すように、鍵２の押鍵力が弱いときに操作突起部２８の先端部２８ａがゆっくり接触して摺動することにより、本体部３１をくびれ部３１ａによって鍵２の後方に向けて弾力的にゆっくり変位させるように構成されている。
【００３１】
すなわち、本体部３１は、図６（ａ）および図６（ｂ）に示すように、鍵２が弱い力で押鍵された際に、操作突起部２８の先端部２８ａが第１突起部３２に沿ってゆっくり摺動することにより、操作突起部２８の先端部２８ａの上下動に追従して鍵２の後方に向けて弾力的に変位するように構成されている。これにより、操作突起部２８は、その先端部２８ａが第２突起部３３に下側から当接して、鍵荷重が急激に重くなるように構成されている。
【００３２】
また、この第１突起部３２は、図６（ｃ）に示すように、鍵２の押鍵力が強いときに、操作突起部２８の先端部２８ａが第１突起部３２の緩やかな湾曲に沿って速い速度で勢いよく接触することにより、本体部３１のくびれ部３１ａを中心に本体部３１をその慣性力によって鍵２の後方に向けて勢いよく変位させるように構成されている。
【００３３】
すなわち、本体部３１は、図６（ｃ）に示すように、鍵２が強い力で押鍵された際に、操作突起部２８の先端部２８ａが第１突起部３２に沿って勢いよく摺動することにより、本体部３１に慣性力が生じ、この慣性力によって本体部３１がくびれ部３１ａを中心に鍵２の後方に向けて大きく変位するように構成されている。
【００３４】
このため、本体部３１は、図６（ｃ）に示すように、鍵２が強い力で押鍵された際に、操作突起部２８の先端部２８ａの上下動に追従せずに、鍵２の後方に向けて大きく変位し、第２突起部３３の先端部を操作突起部２８の先端部２８ａの移動軌跡上から鍵２の後方に変位させるように構成されている。これにより、操作突起部２８は、その先端部２８ａが第２突起部３３に当接せずに通過し、鍵荷重がほとんど重くならないように構成されている。
【００３５】
また、第２突起部３３は、図５に示すように、操作突起部２８の移動軌跡側に位置する本体部３１の側面の上部に、その側方である鍵２の前側に向けて第１突起部３２よりも突出して設けられている。これにより、第２突起部３３は、図６（ａ）および図６（ｂ）に示すように、操作突起部２８の先端部２８ａが第１突起部３２に接触して本体部３１が操作突起部２８の上方への移動に追従して鍵２の後方に向けて変位した際に、操作突起部２８の先端部２８ａが下側から当接して乗り越えるように構成されている。
【００３６】
すなわち、この第２突起部３３は、図６（ａ）に示すように、鍵２が弱い力で押鍵された際に、操作突起部２８の先端部２８ａが下側から当接することにより、鍵荷重を急激に重くするように構成されている。また、この第２突起部３３は、図６（ｂ）に示すように、操作突起部２８の先端部２８ａによって本体部３１を鍵２の後方に変位させて、操作突起部２８の先端部２８ａが乗り越えることにより、鍵荷重を急激に軽くし、鍵２にレットオフ感を付与するように構成されている。
【００３７】
また、この第２突起部３３は、図６（ｃ）に示すように、鍵２が強い力で押鍵されて、操作突起部２８の先端部２８ａが第１突起部３２に勢いよく接触し、本体部３１をその慣性力によって鍵２の後方に向けて大きく変位させた際に、操作突起部２８の先端部２８ａが下側から当接せずに通過するように構成されている。これにより、第２突起部３３は、鍵２が強い力で押鍵された際に、鍵荷重がほとんど重くならないため、鍵２にレットオフ感が付与されないように構成されている。
【００３８】
この場合、操作突起部２８は、図６（ａ）〜図６（ｃ）に示すように、その先端部２８ａが第２突起部３３を乗り越えた後に、ハンマー部材３の錘部２４の重量およびスイッチ部４のゴムシート１８における膨出部１８ａの弾性復帰力によって、ハンマー部材３が反時計回りに回転して鍵２が初期位置に戻る離鍵時に、操作突起部２８の先端部２８ａが本体部３１の第２突起部３３および第１突起部３２を順次摺動して下側に移動するように構成されている。
【００３９】
これにより、操作突起部２８は、図６（ａ）〜図６（ｃ）に示すように、鍵２が初期位置に戻る離鍵時に、操作突起部２８の先端部２８ａが、第２突起部３３および第１突起部３２に引っ掛かることがなく、第２突起部３３および第１突起部３２を上側から下側に向けて滑らかに摺動することにより、鍵２にほとんど負荷を付与しないように構成されている。
【００４０】
次に、このような鍵盤装置の作用について説明する。
まず、鍵２が押鍵操作されていない初期状態のときには、図１に示すように、ハンマー部材３が錘部２４の重量によってハンマー支持部８の支持軸８ａを中心に反時計回りに回転し、このハンマー部材３の錘部２４側の後端部が鍵盤シャーシ１の後脚部１４における下端部に設けられた下限ストッパ１５に当接している。
【００４１】
このときには、図１に示すように、鍵２のハンマー押圧部２０のハンマー保持部２１がハンマー本体２３の先端部（図１では右端部）に位置する鍵当接摺動部２６によって押し上げられるので、鍵２が鍵盤シャーシ１の鍵載置部１２上に設けられた鍵支持部１３の支持軸１３ａを中心に反時計回りに回転して上限位置に規制されている。この状態では、鍵２のスイッチ押圧部１６がスイッチ部４の上方に位置して離れている。
【００４２】
この状態で、鍵２を弱い力で押鍵操作すると、図２に示すように、鍵２が鍵支持部１３の支持軸１３ａを中心に時計回りに回転して、ハンマー押圧部２０のハンマー保持部２１がハンマー部材３の鍵当接摺動部２６をゆっくり押し下げる。これにより、ハンマー部材３が錘部２４の重量に抗して、図２において時計回りにゆっくり回転する。このときには、ハンマー部材３のハンマー本体２３の回転によって、鍵２にアクション荷重が付与されるので、図７（ａ）に曲線Ａ１で示すように、鍵荷重が急に重くなる。
【００４３】
そして、鍵２が押鍵操作に伴って回転し、鍵２のスイッチ押圧部１６がスイッチ部４を押圧すると、ゴムシート１８の膨出部１８ａが弾性変形する。このときには、ゴムシート１８の膨出部１８ａの弾性変形によって、図７（ａ）に曲線Ｂ１で示すように、鍵荷重が緩やかに上昇して重くなる。この状態で、鍵２が更に回転して鍵２のスイッチ押圧部１６がスイッチ部４を更に押圧すると、ゴムシート１８の膨出部１８ａが更に弾性変形して、スイッチ部４がスイッチ信号を出力する。
【００４４】
この後、鍵２が更にハンマー本体２３を回転させると、このハンマー本体２３の回転に伴って操作突起部２８が鍵盤シャーシ１の基板載置部１０に設けられたスリット孔２９内を上方に向けて移動して、鍵盤シャーシ１の基板載置部１０に設けられた鍵荷重制動部材３０の第１突起部３２に接近する。そして、操作突起部２８の先端部２８ａが鍵荷重制動部材３０の第１突起部３２に滑らかに接触すると、本体部３１を鍵２の後方に向けて弾力的にゆっくり変位させる。
【００４５】
このときには、鍵２の押鍵力が弱いので、図２および図６（ａ）に示すように、操作突起部２８の先端部２８ａが鍵荷重制動部材３０の第１突起部３２に接触してゆっくり摺動する。このため、本体部３１は、操作突起部２８の先端部２８ａの上下動に追従して、くびれ部３１ａを中心に鍵２の後方に向けてゆっくり変位する。これにより、操作突起部２８の先端部２８ａが第１突起部３２を通過して、第２突起部３３にその下側から当接する。このときには、図７（ａ）に曲線Ｃ１で示すように、鍵荷重が急激に上昇して重くなる。
【００４６】
そして、鍵２が更に回転し、ハンマー本体２３が鍵２と共に更に回転すると、図３および図６（ｂ）に示すように、操作突起部２８の先端部２８ａが第２突起部３３を押し上げるので、鍵荷重制動部材３０の本体部３１が更に鍵２の後方に向けて変位する。これにより、操作突起部２８の先端部２８ａが第２突起部３３を乗り越える。このときには、図７（ａ）に曲線Ｄ１で示すように、鍵荷重が急激に降下して軽くなる。これにより、鍵２にレットオフ感が付与される。
【００４７】
この後、更に鍵２が回転し、ハンマー本体２３が更に回転すると、ハンマー部材２３の後端部（図３では左端部）が鍵盤シャーシ１の鍵載置部１３の下面に設けられたフェルトなどの上限ストッパ２７に当接し、ハンマー本体２３が上限位置に規制されて、ハンマー部材３の回転が急に停止する。このときには、図７（ａ）に曲線Ｅ１で示すように、鍵荷重が再び急激に上昇して重くなる。
【００４８】
そして、鍵２から指が離れて鍵２が離鍵動作を開始すると、図２に示すように、ハンマー部材３のハンマー本体２３が、その錘部２４の重量およびスイッチ部４のゴムシート１８における膨出部１８ａの弾性復帰力によって、ハンマー支持部８の支持軸８ａを中心に反時計回りに回転する。このときには、図７（ａ）に曲線Ｆ１で示すように、鍵荷重が急激に降下して軽くなる。
【００４９】
この後、ハンマー部材３の操作突起部２８の先端部２８ａが、鍵荷重制動部材３０の第２突起部３３から下側に移動して、第１突起部３２に接触する。このときには、操作突起部２８の先端部２８ａが、第１突起部３２に引っ掛かることがなく、第１突起部３２に接触した状態で上側から下側に向けて滑らかに摺動する。このため、鍵２に負荷がほとんど付与されることがないので、図７（ａ）に曲線Ｇ１で示すように、鍵荷重が緩やかに降下して軽くなる。
【００５０】
そして、操作突起部２８の先端部２８ａが鍵荷重制動部材３０の第１突起部３２から下側に移動すると、スイッチ部４のゴムシート１８の膨出部１８ａが弾性復帰を開始し、このゴムシート１８の膨出部１８ａの弾性復帰力とハンマー部材３の錘２４の重量とによって、ハンマー本体２３がハンマー支持部８の支持軸８ａを中心に反時計回りに回転し、これに伴って鍵２が鍵支持部１３の支持軸１３ａを中心に反時計回りに回転する。このときには、図７（ａ）に曲線Ｈ１で示すように、鍵荷重が緩やかに降下して更に軽くなる。
【００５１】
この後は、ハンマー本体２３がその錘部２４の重量によってハンマー支持部８の支持軸８ａを中心に反時計回りに更に回転し、これに伴って鍵２が鍵支持部１３の支持軸１３ａを中心に反時計回りに更に回転し、ハンマー本体２３の錘部２４側の後端部が鍵盤シャーシ１の後脚部１４における下端部に設けられた下限ストッパ１５に当接する。このときには、図７（ａ）に曲線Ｊ１で示すように、鍵荷重が急に降下して軽くなる。
【００５２】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵支持部１３の支持軸１３ａを中心に反時計回りに回転して上限位置に規制される。この状態では、鍵２が初期位置に戻り、鍵２のスイッチ押圧部１６がスイッチ部４の上方に位置して離れる。
【００５３】
次に、鍵２を強い力で押鍵操作した場合について説明する。
このときには、図４に示すように、鍵２が鍵支持部１３の支持軸１３ａを中心に時計回りに回転して、ハンマー押圧部２０のハンマー保持部２１がハンマー部材３の鍵当接摺動部２６を速い速度で押し下げる。これにより、ハンマー部材３が錘部２４の重量に抗して、図４において時計回りに速い速度で回転する。このときには、ハンマー部材３のハンマー本体２３の回転によって、鍵２にアクション荷重が付与されるので、図７（ｂ）に曲線Ａ２で示すように、鍵荷重が急に重くなる。
【００５４】
そして、鍵２が押鍵操作に伴って回転し、鍵２のスイッチ押圧部１６がスイッチ部４を押圧すると、ゴムシート１８の膨出部１８ａが弾性変形する。このときには、ゴムシート１８の膨出部１８ａの弾性変形によって、図７（ｂ）に曲線Ｂ２で示すように、鍵荷重が緩やかに上昇して重くなる。この状態で、鍵２が更に回転して鍵２のスイッチ押圧部１６がスイッチ部４を更に押圧すると、ゴムシート１８の膨出部１８ａが更に弾性変形して、スイッチ部４がスイッチ信号を出力する。
【００５５】
この後、鍵２が強い力で更にハンマー本体２３を回転させると、このハンマー本体２３の回転に伴って操作突起部２８が鍵盤シャーシ１の基板載置部１０に設けられたスリット孔２９から上側に向けて移動して、鍵盤シャーシ１の基板載置部１０に設けられた鍵荷重制動部材３０の第１突起部３２に接近する。そして、操作突起部２８の先端部２８ａが鍵荷重制動部材３０の第１突起部３２に勢いよく接触すると、本体部３１を鍵２の後方に向けて弾力的に大きく変位させる。
【００５６】
このときには、操作突起部２８の先端部２８ａが第１突起部３２の緩やかな湾曲に沿って速い速度で勢いよく摺動することにより、図４および図６（ｃ）に示すように、本体部３１に慣性力が生じ、この慣性力によって本体部３１がくびれ部３１ａを中心に鍵２の後方に向けて大きく変位する。このため、本体部３１は、操作突起部２８の先端部２８ａの上下動に追従せずに、鍵２の後方に向けて大きく変位し、第２突起部３３の先端部を操作突起部２８の先端部２８ａの移動軌跡上から鍵２の後方に変位させる。
【００５７】
これにより、操作突起部２８の先端部２８ａが鍵荷重制動部材３０の第１突起部３２を通過すると、第２突起部３３に当接することなく、この第２突起部３３を通過する。このため、操作突起部２８に第２突起部３３による負荷がほとんど付与されないので、図７（ｂ）に曲線Ｃ２で示すように、鍵荷重が緩やかに上昇して重くなるが、鍵２にレットオフ感が付与されることはない。
【００５８】
この後、更に鍵２が回転し、ハンマー本体２３が更に回転すると、ハンマー部材２３の後端部（図４では左端部）が鍵盤シャーシ１の鍵載置部１３の下面に設けられたフェルトなどの上限ストッパ２７に当接し、ハンマー本体２３が上限位置に規制されて、ハンマー部材３の回転が急に停止する。このときには、図７（ｂ）に曲線Ｄ２で示すように、鍵荷重が急激に上昇して重くなる。
【００５９】
そして、鍵２から指が離れて鍵２が離鍵動作を開始すると、図２に示したように、ハンマー部材３のハンマー本体２３が、その錘部２４の重量およびスイッチ部４のゴムシート１８における膨出部１８ａの弾性復帰力によって、ハンマー支持部８の支持軸８ａを中心に反時計回りに回転する。このときには、図７（ｂ）に曲線Ｅ２で示すように、鍵荷重が急激に降下して軽くなる。
【００６０】
この後、ハンマー部材３の操作突起部２８の先端部２８ａが鍵荷重制動部材３０の第２突起部３３から下側に移動して、第１突起部３２に接触する。このときには、操作突起部２８の先端部２８ａが、第１突起部３２に引っ掛かることがなく、第１突起部３２に接触した状態で上側から下側に向けて滑らかに摺動する。このため、鍵２に負荷がほとんど付与されることがないので、図７（ｂ）に曲線Ｆ２で示すように、鍵荷重が緩やかに降下して軽くなる。
【００６１】
そして、操作突起部２８の先端部２８ａが鍵荷重制動部材３０の第１突起部３２から下側に移動すると、スイッチ部４におけるゴムシート１８の膨出部１８ａが弾性復帰を開始する。これにより、ゴムシート１８の膨出部１８ａの弾性復帰力とハンマー本体２３の錘部２４の重量とによって、ハンマー本体２３がハンマー支持部８の支持軸８ａを中心に反時計回りに回転し、これに伴って鍵２が鍵支持部１３の支持軸１３ａを中心に反時計回りに回転する。このときには、図７（ｂ）に曲線Ｇ２で示すように、鍵荷重が緩やかに降下して更に軽くなる。
【００６２】
この後は、ハンマー本体２３がその錘部２４の重量によってハンマー支持部８の支持軸８ａを中心に反時計回りに更に回転し、これに伴って鍵２が鍵支持部１３の支持軸１３ａを中心に反時計回りに更に回転し、ハンマー本体２３の錘部３４側の後端部が鍵盤シャーシ１の後脚部１４における下端部に設けられた下限ストッパ１５に当接する。このときには、図７（ｂ）に曲線Ｈ２で示すように、鍵荷重が急に降下して軽くなる。
【００６３】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵支持部１３の支持軸１３ａを中心に反時計回りに回転して上限位置に規制される。この状態では、鍵２が初期位置に戻り、鍵２のスイッチ押圧部１６がスイッチ部４の上方に位置して離れる。
【００６４】
このように、この鍵盤装置によれば、鍵盤シャーシ１上に上下方向に回転可能に取り付けられた鍵２の押鍵動作に伴って上下方向に移動する操作突起部２８と、鍵盤シャーシ１に鍵２の前後方向に変位可能に設けられた本体部３１、この本体部３１に緩やかに湾曲して設けられ、操作突起部２８が接触して本体部３１を変位させる第１突起部３２、および鍵２の押鍵力が弱いときに操作突起部２８の先端部２８ａが当接して乗り越え、かつ鍵２の押鍵力が強いときに操作突起部２８の先端部２８ａが当接せずに通過する第２突起部３３を有する鍵荷重制動部材３０と、を備えているので、鍵２の押鍵強さに応じて鍵２にレットオフ感を付与することができ、これによりアコースティックピアノの鍵タッチ感に近似した鍵タッチ感を得ることができる。
【００６５】
すなわち、この鍵盤装置では、鍵２を弱く押鍵すると、操作突起部２８の先端部２８ａが鍵荷重制動部材３０の第１突起部３２に滑らかに接触して、鍵荷重制動部材３０の本体部３１をゆっくり変位させることができ、これにより操作突起部２８の先端部２８ａを鍵荷重制動部材３０の第２突起部３３に当接させて乗り越えさせることができるので、鍵荷重を重くして急激に軽くするレットオフ感を鍵２に付与することができる。
【００６６】
また、この鍵盤装置では、鍵２を強く押鍵すると、操作突起部２８の先端部２８ａが鍵荷重制動部材３０の第１突起部３２に勢いよく接触して、鍵荷重制動部材３０の本体部３１を急激に変位させることができ、これにより操作突起部２８の先端部２８ａを第２突起部３３に当接させずに通過させることができるので、鍵２にレットオフ感が付与されないようにすることができる。これにより、鍵２の押鍵強さに応じて鍵２にレットオフ感を付与することができるので、アコースティックピアノの鍵タッチ感に近似した鍵タッチ感を得ることができる。
【００６７】
この場合、鍵荷重制動部材３０の第１突起部３２は、鍵２の押鍵力が弱いときに操作突起部２８の先端部２８ａが接触して、本体部３１を操作突起部２８の上下動に追従させて鍵２の前後方向に変位させることにより、操作突起部２８の先端部２８ａを第２突起部３３に当接させるので、鍵２の押鍵力が弱いときに、操作突起部２８の先端部２８ａを第２突起部３３に確実に当接させることができると共に、操作突起部２８の先端部２８ａが本体部３１を更に変位させて第２突起部３３を良好に乗り越えることができるので、鍵荷重を重くして急激に軽くするレットオフ感を鍵２に確実に付与することができる。
【００６８】
また、この鍵荷重制動部材３０の第１突起部３２は、鍵２の押鍵力が強いときに操作突起部２８の先端部２８ａが本体部３１をその慣性力によって鍵２の前後方向に大きく変位させ、操作突起部２８の先端部２８ａを第２突起部３３に当接させずに通過させることにより、鍵２の押鍵力が強いときに、操作突起部２８の先端部２８ａを第２突起部３３に当接させずに良好に通過させることができるので、鍵２にレットオフ感が付与されないようにすることができる。
【００６９】
すなわち、この鍵荷重制動部材３０の第１突起部３２は、鍵２の押鍵力が強いと、操作突起部２８の先端部２８ａが勢いよく接触するので、本体部３１に慣性力が生じ、この慣性力によって本体部３１を鍵２の前後方向に大きく変位させることができ、これにより第２突起部３３を操作突起部２８の先端部２８ａの移動軌跡上から外れた位置に変位させることができる。このため、操作突起部２８の先端部２８ａを第２突起部３３に当接させずに良好に通過させることができる。
【００７０】
また、この鍵盤装置では、鍵荷重制動部材３０がゴムやエラストマなどの弾性材料で形成されていることにより、本体部３１、第１突起部３２、および第２突起部３３を備えていても、これらを弾性材料で一体に形成することができる。この場合、鍵荷重制動部材３０は、本体部３１が弾性材料で形成されているので、本体部３１を鍵盤シャーシ１に取り付けても、本体部３１を鍵２の前後方向に良好に弾性変形させて変位させることができる。
【００７１】
また、第２突起部３３は、弾性材料で形成されていることにより、鍵２を弱い力で押鍵した際に、操作突起部２８の先端部２８ａが下側から当接して、鍵荷重を確実にかつ良好に重くすることができ、また操作突起部２８の先端部２８ａが第２突起部３３を乗り越える際に、本体部３１を弾性変形させることができるので、操作突起部２８の先端部２８ａを良好に乗り越えさせることができ、これにより確実に鍵２にレットオフ感を付与することができる。
【００７２】
この場合、鍵荷重制動部材３０の本体部３１には、くびれ部３１ａが第１突起部３２よりも鍵盤シャーシ１側に設けられていることにより、このくびれ部３１ａによって本体部３１を確実にかつ良好に鍵２の前後方向に弾力的に変位させることができ、これにより鍵２の押鍵強さに応じて、本体部３１の変位量を変化させ易くすることができる。
【００７３】
このため、この鍵荷重制動部材３０の本体部３１は、鍵２が弱い力で押鍵されて、操作突起部２８の先端部２８ａが第１突起部３２にゆっくり接触して摺動する際に、くびれ部３１ａによって本体部３１を弾力的にゆっくり変位させることができ、これにより本体部３１を操作突起部２８の上下動に追従させて変位させることができる。
【００７４】
また、鍵荷重制動部材３０の本体部３１は、鍵２が弱い力で押鍵されて、操作突起部２８の先端部２８ａが第２突起部３３を乗り越える際に、くびれ部３１ａによって本体部３１を弾力的に変位させることができるので、操作突起部２８の先端部２８ａが第２突起部３３を良好に乗り越えることができ、これにより確実に鍵２にレットオフ感を付与することができる。
【００７５】
また、鍵荷重制動部材３０の本体部３１は、鍵２が強い力で押鍵されて、操作突起部２８の先端部２８ａが第１突起部３２に勢いよく接触して、本体部３１に慣性力が生じた際に、くびれ部３１ａによって本体部３１をその慣性力に応じて大きく変位させることができるので、第２突起部３３を操作突起部２８の先端部２８ａの移動軌跡上から外れた位置に変位させることができ、これにより操作突起部２８の先端部２８ａを第２突起部３３に当接させずに良好に通過させることができる。
【００７６】
また、鍵荷重制動部材３０の本体部３１は、操作突起部２８の先端部２８ａが第２突起部３３を乗り越えた後に、ハンマー部材３が反時計回りに回転して鍵２が初期位置に戻る離鍵時に、くびれ部３１ａによって本体部３１を操作突起部２８に向けて弾力的に接触させることができるので、操作突起部２８の先端部２８ａが第２突起部３３および第１突起部３２に引っ掛からないようにすることができる。
【００７７】
これにより、この鍵荷重制動部材３０の本体部３１では、操作突起部２８の先端部２８ａを第２突起部３３および第１突起部３２に上側から下側に向けて滑らかに摺動させることができる。このため、鍵２が初期位置に戻る離鍵時に、鍵２に負荷がほとんど付与されないようにすることができるので、これによってもアコースティックピアノの鍵タッチ感に近似した鍵タッチ感を得ることができる。
【００７８】
さらに、この鍵盤装置では、鍵２の押鍵操作に伴って回転し、鍵２にアクション荷重を付与するハンマー部材３を備えていることにより、鍵２を弱い力で押鍵操作しても、また鍵２を強い力で押鍵操作しても、鍵２の押鍵操作に伴ってハンマー部材３が回転することにより、鍵２にアクション荷重を付与して、鍵荷重を重くすることができ、これによってもアコースティックピアノの鍵タッチ感に近似した鍵タッチ感を得ることができる。
【００７９】
また、この鍵盤装置では、操作突起部２８がハンマー部材３に設けられているので、鍵２の押鍵操作に伴ってハンマー部材３が回転すると、このハンマー部材３の回転に伴って操作突起部２８を上下方向に移動させることができ、これにより操作突起部２８を鍵盤シャーシ１に設けられた鍵荷重制動部材３０の第１突起部３２に接触させることができるので、本体部３１を鍵２の前後方向に変位させることができ、これによりハンマー部材３を介して鍵２にレットオフ感を付与することができる。
【００８０】
なお、上述した実施形態では、操作突起部２８をハンマー本体２３のほぼ中間部に設けた場合について述べたが、これに限らず、例えばハンマー本体２３の後端部に設けても良く、またハンマー本体２３の前端部に設けても良い。また、これに限らず、操作突起部２８を鍵２に設けて良い。この場合には、鍵荷重制動部材３０を上下反転させた状態で鍵盤シャーシ１に設ければ良い。このように操作突起部２８を鍵２に設けた構成にすれば、必ずしもハンマー部材３を備えている必要はないので、部品点数の削減を図り、構造の簡素化を図ることができる。
【００８１】
また、上述した実施形態では、鍵荷重制動部材３０をゴムやエラストマなどの弾性材料で形成した場合について述べたが、これに限らず、例えば硬質の合成樹脂など、弾性を有しない金属などの材料で形成しても良い。この場合には、回転軸などのヒンジ部を介して鍵荷重制動部材３０を鍵盤シャーシ１に取り付ければ良い。また、この場合には、鍵荷重制動部材３０をばね部材や弾性部材などの付勢部材によって一定位置に弾力的に位置規制するように構成すれば良い。
【００８２】
なお、上述した実施形態において、鍵２を弱い力で押鍵操作した場合と、強い力で押鍵操作した場合の動作の説明を行っているが、ここでいう「弱い」や「強い」については、相対的な押鍵力の強弱を表すものであって良い。すなわち、相対的に弱い第１の押鍵力で押鍵された場合に「弱い力」の押鍵操作に対応した動作が行われ、相対的に強い第２の押鍵力で押鍵された場合に「強い力」の押鍵操作に対応した動作が行われる構成とすることが可能である。
【００８３】
つまり、ハンマー部材３が錘部２４の重量に抗して時計回りにゆっくり回転する状態を、相対的に弱い又は第１の押鍵力と、ハンマー部材３が錘部２４の重量に抗して時計回りに高速に回転する状態を、相対的に強い又は第２の押鍵力とする構成であれば種々の形で実施することが可能である。さらに、例えば、所定のしきい値より弱い押鍵力の場合に第１の押鍵力と、また当該しきい値より強い押鍵力の場合に第２の押鍵力として動作する構成となっていてもよい。
【００８４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８５】
（付記）
請求項１に記載の発明は、鍵盤シャーシ上に上下方向に回転可能に取り付けられた鍵と、この鍵の押鍵動作に伴って上下方向に移動する操作突起部と、前記鍵盤シャーシに前記鍵の前後方向に変位可能に設けられた本体部、この本体部に湾曲して設けられ、前記操作突起部が接触して前記本体部を変位させる第１突起部、および前記鍵が相対的に弱く押鍵されたときに前記操作突起部の先端部が当接して乗り越え、かつ前記押鍵時よりも相対的に強く押鍵されたときに前記操作突起部の前記先端部が当接せずに通過する第２突起部を有する鍵荷重制動部材と、を備えていることを特徴とする鍵盤装置である。
【００８６】
請求項２に記載の発明は、請求項１に記載の鍵盤装置において、前記鍵が押鍵されたときに、前記操作突起部の前記先端部が前記鍵荷重制動部材の前記第１突起部に接触して、前記本体部を前記操作突起部の上下動に追従させて前記鍵の前後方向に変位させ、更に前記操作突起部の前記先端部を前記第２突起部に当接させ、
前記押鍵時よりも強く押鍵されたときは、前記操作突起部の前記先端部が前記本体部を当該本体部の慣性力で前記鍵の前後方向に大きく変位させ、更に前記操作突起部の前記先端部を前記第２突起部に当接させずに通過させることを特徴とする鍵盤装置である。
【００８７】
請求項３に記載の発明は、請求項１または請求項２に記載の鍵盤装置において、前記鍵荷重制動部材は、弾性材料で形成されていることを特徴とする鍵盤装置である。
【００８８】
請求項４に記載の発明は、請求項３に記載の鍵盤装置において、前記鍵荷重制動部材の前記本体部には、前記第１突起部よりも前記鍵盤シャーシ側にくびれ部が設けられていることを特徴とする鍵盤装置である。
【００８９】
請求項５に記載の発明は、請求項１〜請求項４のいずれかに記載の鍵盤装置において、前記鍵の押鍵操作に伴って回転し、前記鍵にアクション荷重を付与するハンマー部材を備えていることを特徴とする鍵盤装置である。
【００９０】
請求項６に記載の発明は、請求項５に記載の鍵盤装置において、前記操作突起部は前記鍵と前記ハンマー部材とのいずれか一方に設けられていることを特徴とする鍵盤装置である。
【符号の説明】
【００９１】
１  鍵盤シャーシ
２  鍵
３  ハンマー部材
４  スイッチ部
２０  ハンマー押圧部
２３  ハンマー本体
２４  錘部
２５  回転取付部
２６  鍵当接摺動部
２８  操作突起部
２８ａ  先端部
３０  鍵荷重制動部材
３１  本体部
３１ａ  くびれ部
３２  第１突起部
３３  第２突起部
【図１】
2015090373.tif 000003
【図２】
2015090373.tif 000004
【図３】
2015090373.tif 000005
【図４】
2015090373.tif 000006
【図５】
2015090373.tif 000007
【図６】
2015090373.tif 000008
【図７】
2015090373.tif 000009